(57)【要約】【課題】本発明は、取り扱いが容易であり、防水ハウジング内に位置決め固定する際の操作性に優れ、また、カメラ自体の傷付き防止、落下時の損傷防止機能をも有するカメラ用ジャケットを提供する。【解決手段】本発明は、カメラＡを内周部に装着した状態で防水ハウジング２内に装着する環境対応材料により形成したカメラ用ジャケット２１Ａであって、カメラＡが装着される内周部形状を当該カメラＡのみ位置決め装着可能な専用形状とするとともに、外周部に、防水ハウジング２の内周側の被装着面に設けた位置決め用の凸部５乃至８に対応する他の同種のカメラ用ジャケットと共通な凹部２５乃至２８を有し、凸部５乃至８と凹部２５乃至２８との係合により防水ハウジング２内にカメラＡを保持しつつ位置決め固定する構成としたものである。【選択図】図１
2009048045.tif 000002
【特許請求の範囲】
【請求項１】
カメラを内周部に装着した状態で防水ハウジング内に装着するカメラ用ジャケットであって、
前記カメラが装着される内周部形状を当該カメラのみ位置決め装着可能な専用形状とするとともに、外周部形状を、前記防水ハウジングの内周側の被装着面に位置決め装着可能であり、他の同種のカメラ用ジャケットと共通な形状としたことを特徴とするカメラ用ジャケット。
【請求項２】
カメラを内周部に装着した状態で防水ハウジング内に装着するカメラ用ジャケットであって、
前記カメラが装着される内周部形状を当該カメラのみ位置決め装着可能な専用形状とするとともに、外周部に、前記防水ハウジングの内周側の被装着面に設けた位置決め部に対応する他の同種のカメラ用ジャケットと共通な位置決め部を有し、前記両位置決め部により前記防水ハウジング内に前記カメラを保持しつつ位置決め固定されるように構成したことを特徴とするカメラ用ジャケット。
【請求項３】
カメラを内周部に装着した状態で防水ハウジング内に装着するシリコン又はエラストマー等の環境対応材料により形成したカメラ用ジャケットであって、
前記カメラが装着される内周部形状を当該カメラのみ位置決め装着可能な専用形状とするとともに、外周部に、前記防水ハウジングの内周側の被装着面に複数箇所にわたって設けた位置決め用の凸部又は凹部に対応する他の同種のカメラ用ジャケットと共通な複数箇所の凹部又は凸部を有し、前記凸部と前記凹部、前記凹部と前記凸部との係合により前記防水ハウジング内に前記カメラを保持しつつ位置決め固定されるように構成したことを特徴とするカメラ用ジャケット。
【請求項４】
内周側に被装着面を有するカメラ用の防水ハウジングと、
カメラが装着される内周部形状を当該カメラのみ位置決め装着可能な専用形状とするとともに、外周部形状を、前記防水ハウジングの内周側の被装着面に位置決め装着可能であり、他の同種のカメラ用ジャケットと共通な形状としたカメラ用ジャケットと、
を有することを特徴とするカメラ防水収容ハウジングシステム。
【請求項５】
内周側に位置決め部を有する被装着面を有するカメラ用の防水ハウジングと、
カメラが装着される内周部形状を当該カメラのみ位置決め装着可能な専用形状とするとともに、外周部に、前記防水ハウジングの内周側の位置決め部に対応する他の同種のカメラ用ジャケットと共通な位置決め部を有し、前記両位置決め部により前記防水ハウジング内に前記カメラを保持しつつ位置決め固定されるカメラ用ジャケットと、
を有することを特徴とするカメラ防水収容ハウジングシステム。
【請求項６】
内周側の被装着面に複数箇所にわたって設けた位置決め用の凸部又は凹部を有するカメラ用の防水ハウジングと、
カメラが装着される内周部形状を当該カメラのみ位置決め装着可能な専用形状とするとともに、外周部に、前記防水ハウジングの内周側の凸部又は凹部に対応する他の同種のカメラ用ジャケットと共通な複数箇所の凹部又は凸部を有し、前記凸部と前記凹部、前記凹部と前記凸部との係合により前記防水ハウジング内に前記カメラを保持しつつ位置決め固定されるシリコン又はエラストマー等の環境対応材料により形成したカメラ用ジャケットと、
を有することを特徴とするカメラ防水収容ハウジングシステム。
【発明の詳細な説明】
【技術分野】
【０００１】
本発明は、カメラ用ジャケット及びカメラ防水収容ハウジングシステムに関するものである。
【背景技術】
【０００２】
従来、水中で魚類や水中植物等の被写体の撮影を行う場合、高価格の水中専用カメラに替えて、陸上で一般に用いられているカメラ（デジタルカメラ等）を防水仕様の防水ハウジング内に収容して所望の被写体の水中撮影を実行することが多い。
【０００３】
この場合、カメラを防水ハウジング内に位置決め固定することが不可欠となるが、従来においては、ゴム材等により形成した「カメラ押さえ」と称される部品を、カメラの外周隅部と防水ハウジング内周の対応部分との間等の複数箇所に圧入、ネジ停め等により介在させて位置決めを行うことが一般的である。
【０００４】
しかし、「カメラ押さえ」と称される部品は、成型品からなりその型構造上ネジ停め等の方向に制約を伴うことから、カメラの外周部分を傷付けてしまうこともあるという問題を包含している。
【０００５】
また、「カメラ押さえ」の個数もカメラを防水ハウジング内に確実に位置決め固定するために、４点、６点等多数個必要であり、位置決め固定時の組み立てや部品管理等が煩雑で、カメラユーザの負担は大きい。
【０００６】
特許文献１には、ポリウレタンスポンジやスポンジゴム等のクッションを有する成形品を水中ハウジング内面に接着固定し、カメラを位置決め固定するように構成した水中カメラハウジングが提案されている。
【特許文献１】特開２００４−００４３９０号公報
【発明の開示】
【発明が解決しようとする課題】
【０００７】
本発明が解決しようとする問題点は、取り扱いが容易であり、防水ハウジング内に位置決め固定する際の操作性に優れ、また、カメラ自体の傷付き防止、落下時の損傷防止機能をも有するようなカメラ用ジャケット、及び、該カメラ用ジャケットを含むカメラ防水収容ハウジングシステムが存在しない点である。
【課題を解決するための手段】
【０００８】
本発明は、カメラを内周部に装着した状態で防水ハウジング内に装着するカメラ用ジャケットであって、前記カメラが装着される内周部形状を当該カメラのみ位置決め装着可能な専用形状とするとともに、外周部形状を、前記防水ハウジングの内周側の被装着面に位置決め装着可能であり、他の同種のカメラ用ジャケットと共通な形状としたことを最も主要な特徴とする。
【発明の効果】
【０００９】
請求項１乃至３記載の発明によれば、カメラの位置決め固定時の取り扱いが極めて容易であり、かつ、操作性に優れ、防水ハウジング内に組み込む場合でもカメラの外周部の傷付き防止を図ることができ、さらに、シリコン又はエラストマー等の環境対応材料により形成することで環境汚染防止にも配慮し、カメラを内装したまま陸上で持ち運ぶ等の場合にはその損傷防止機能をも発揮させることができる斬新なカメラ用ジャケットを提供することができる。
【００１０】
請求項４乃至６記載の発明によれば、上述したカメラ用ジャケットと、防水ハウジングとの組み合わせにより、防水ハウジング内にカメラを保持しつつ簡略かつ確実に位置決め固定して、カメラを完全防水した状態の水中撮影可能な構成とすることができ、また、煩雑な「カメラ押さえ」も不要で、組み立て性、操作性に優れた斬新なカメラ防水収容ハウジングシステムを提供することができる。
【発明を実施するための最良の形態】
【００１１】
本発明は、取り扱いが容易であり、防水ハウジング内に位置決め固定する際の操作性に優れ、また、カメラ自体の傷付き防止、落下時の損傷防止機能をも有するカメラ用ジャケットを提供するという目的を、カメラを内周部に装着した状態で防水ハウジング内に装着するシリコン又はエラストマー等の環境対応材料により形成したカメラ用ジャケットであって、前記カメラが装着される内周部形状を当該カメラのみ位置決め装着可能な専用形状とするとともに、外周部に、前記防水ハウジングの内周側の被装着面に複数箇所にわたって設けた位置決め用の凸部又は凹部に対応する他の同種のカメラ用ジャケットと共通な複数箇所の凹部又は凸部を有し、前記凸部と前記凹部、前記凹部と前記凸部との係合により前記防水ハウジング内に前記カメラを保持しつつ位置決め固定する構成により実現した。
【実施例】
【００１２】
以下に、本発明の実施例に係るカメラ用ジャケット及びカメラ防水収容ハウジングシステムについて図面を参照して詳細に説明する。この場合、レンズ鏡筒を備えるカメラについて述べる。
【００１３】
図１は、本実施例に係るカメラ防水収容ハウジングシステム１を示すものであり、このカメラ防水収容ハウジングシステム１は、例えば図６の左欄上部に示すようなカメラＡ用の内部が空洞でかつ略直方体状を呈する例えばゴム材を主要素とする防水仕様の防水ハウジング２と、この防水ハウジング２に対して前記カメラＡ（例えば小型のデジタルカメラ）を内周部に保持しつつぴったりと密着して位置決め固定する例えばシリコン又はエラストマー等の環境対応材料により形成した内部が空洞でかつ略直方体状を呈するカメラ用ジャケット２１Ａとを有している。
【００１４】
前記防水ハウジング２は、略直方体状に形成され、その内周部には前記カメラ用ジャケット２１Ａのジャケット本体２２の外周部が装着可能な被装着面を有するハウジング本体３を具備している。
【００１５】
また、この防水ハウジング２は、ハウジング本体３の前壁３ａ側から前方に突出形成した前記カメラＡのカメラ本体４０から前方に突出するレンズ鏡筒４１を内装するための鏡筒用筒部４を前記ハウジング本体３の内部に連なる状態で備えている。
【００１６】
前記ハウジング本体３の被装着面を形成する内部上面の両隅近傍には、図１、図６に示すように、所定の間隔で位置決め用の一対の凸部５、５を前記カメラＡのレンズ光軸に沿う方向に設けている。同様に、内部下面の両隅近傍には、図１、図６に示すように、所定の間隔で位置決め用の一対の凸部６、６を前記カメラＡのレンズ光軸に沿う方向に設けている。
【００１７】
さらに、前記ハウジング本体３の被装着面を形成する図１において内部左側面の上下両隅近傍には、図１、図６に示すように、所定の間隔で位置決め用の一対の凸部７、７を前記カメラＡのレンズ光軸に沿う方向に設けている。同様に、図１において内部右側面の上下両隅近傍には、図１、図６に示すように、所定の間隔で位置決め用の一対の凸部８、８を前記カメラＡのレンズ光軸に沿う方向に設けている。
【００１８】
前記ハウジング本体３の上面には、前記カメラＡのシャッタ操作等を行うための操作釦部９を設けている。
【００１９】
前記凸部５乃至凸部８は、他の同種のカメラ用ジャケット（詳細は後述する）と共通な配置、形状としている。
【００２０】
次に、前記カメラ用ジャケット２１Ａの構造について、図２乃至図５をも参照して詳述する。
【００２１】
前記カメラ用ジャケット２１Ａは、前記カメラＡが装着される内周部形状を当該カメラＡのみが位置決め装着可能であり、かつ、このカメラＡの外周全体をレンズ鏡筒４１の部分を除き包囲する状態で保持するように設計している。
【００２２】
すなわち、前記カメラ用ジャケット２１Ａは、前記カメラＡのレンズ鏡筒４１用の鏡筒穴２２ａの部分を除くカメラ本体４０の前面（正面）、カメラ本体４０の上下両面及び左右両側面をジャケット本体２２により包囲するとともに、カメラ本体４０の後面（背面）を覆う後面カバー体２３を備えている。
【００２３】
前記ジャケット本体２２の外周部には、図２乃至図５にも示すように、前記ハウジング本体３の各凸部５乃至８に対応する配置、形状の位置決め用の凹部２５乃至２８を設けている。
【００２４】
すなわち、前記ジャケット本体２２の外周上面の両隅近傍には、前記ハウジング本体３の凸部５、５に対応する配置形状で位置決め用の一対の凹部２５、２５を設けている。同様に、前記ジャケット本体２２の外周下面の両隅近傍には、前記ハウジング本体３の凸部６、６に対応する配置形状で位置決め用の一対の凹部２６、２６を設けている。
【００２５】
また、前記ジャケット本体２２の外周左側面の上下両隅近傍には前記ハウジング本体３の凸部７、７に対応する配置形状で位置決め用の一対の凹部２７、２７を設けている。同様に、前記ジャケット本体２２の外周右側面の上下両隅近傍には、前記ハウジング本体３の凸部８、８に対応する配置形状で位置決め用の一対の凹部２８、２８を設けている。
【００２６】
前記ジャケット本体２２の前面左隅近傍には、図２、図３に示すように、前記ハウジング本体３の前壁３ａの内面に当接させるための一対の円形リブ２４、２４を上下に間隔を隔てて突設している。
【００２７】
また、前記ジャケット本体２２の前面右隅近傍には、図２に示すように、前記ハウジング本体３の前壁３ａの内面に当接させるための縦長の突条２９を設けている。
【００２８】
さらに、前記ジャケット本体２２の上面には、前記右側の凹部２５の近傍に位置してカメラＡのシャッタ等を前記ハウジング本体３の操作釦部９と接触させるための操作釦用穴部３０を設けている。
【００２９】
前記後面カバー体２３の外面四隅には、図５に示すように、合計４個の円形リブ３１を設け、防水ハウジング２を構成する図示しない防水仕様の裏蓋体に当接させるように構成している。
【００３０】
また、前記後面カバー体２３の外面に、前記カメラＡのファインダー用の小寸法の四角穴３２、前記カメラＡのディスプレイ用の大寸法の四角穴３３、前記カメラＡの各種操作釦用の複数の円形穴３４を設けている。
【００３１】
次に、上述した本実施例に係るカメラ防水収容ハウジングシステム１及びカメラ用ジャケット２１Ａの作用、効果について説明する。
【００３２】
本実施例に係るカメラ用ジャケット２１Ａによれば、前記ジャケット本体２２と前記後面カバー体２３とが一体としてなる簡略構成であるとともに、その内周部を前記カメラＡのみが位置決め装着可能な専用設計とした構成であり、かつ、外周部に設けた前記凹部２５乃至２８を前記防水ハウジング２の凸部５乃至８に各々係合させることで、前記防水ハウジング２内に前記カメラＡを保持しつつ確実に位置決め固定することができる。
【００３３】
従って、カメラＡの位置決め固定時の取り扱いが極めて容易であり、かつ、操作性に優れ、防水ハウジング２内に組み込む場合でもカメラＡの外周部の傷付き防止を図れる斬新なカメラ用ジャケット２１Ａとすることができる。
【００３４】
また、前記カメラ用ジャケット２１Ａに、鏡筒穴２２ａ、操作釦用穴部３０、四角穴３２、大寸法の四角穴３３、複数の円形穴３４を設けているので、カメラＡ自体の収納や撮影操作の万全を期することができる。
【００３５】
さらに、前記カメラ用ジャケット２１Ａを、シリコン又はエラストマー等の環境対応材料により形成しているので、廃棄に伴う環境汚染防止対策を配慮した構成であるとともに、防水ハウジング２内に組み込まず、カメラＡを内装したまま陸上で持ち運ぶ等の場合でも、このカメラ用ジャケット２１ＡによりカメラＡを地面等に落下させた場合等におけるカメラＡの損傷防止機能をも発揮させることができる。
【００３６】
本実施例に係るカメラ防水収容ハウジングシステム１によれば、上述したカメラ用ジャケット２１Ａ及び防水ハウジング２の組み合わせにより、カメラ用ジャケット２１Ａの外周部に設けた前記凹部２５乃至２８を前記防水ハウジング２の凸部５乃至８に各々係合させることで、防水ハウジング２内にカメラＡを保持しつつ簡略かつ確実に位置決め固定して、カメラＡを完全防水した状態の水中撮影可能な構成とすることができる。
【００３７】
この場合に、前記カメラ用ジャケット２１Ａに円形リブ２４、突条２９を設け、前記ハウジング本体３の前壁３ａの内面に当接させるとともに、後面カバー体２３の外面四隅には、合計４個の円形リブ３１を設け、防水ハウジング２を構成する図示しない防水仕様の裏蓋体に当接させるように構成しているので、カメラＡの防水ハウジング２内への位置決め固定は万全となる。
【００３８】
さらに、前記カメラ用ジャケット２１Ａに、鏡筒穴２２ａ、操作釦用穴部３０、四角穴３２、大寸法の四角穴３３、複数の円形穴３４を設けているので、カメラＡ自体の収納や撮影操作の万全を期することができる。
【００３９】
このように、本実施例に係るカメラ防水収容ハウジングシステム１によれば、専用のカメラ用ジャケット２１Ａ内へのカメラＡの装着、該カメラ用ジャケット２１Ａの防水ハウジング２内への位置決め装着を、従来例で述べた煩雑な「カメラ押さえ」等を用いることなく極めて簡略かつ確実に行うことができ、組み立て性、操作性に優れたカメラ防水収容ハウジングシステム１とすることができる。
【００４０】
尚、上述した実施例において、前記凸部５乃至８、前記凹部２５乃至２８の関係は相対的であり、カメラ用ジャケット２１Ａ側に凸部を、防水ハウジング２側に凹部を設けてもよいことはもちろんである。
【００４１】
次に、図６を参照して、本実施例に係るカメラ防水収容ハウジングシステム１の複数種のカメラＡ乃至カメラＣに対する適用例について説明する。
【００４２】
本実施例に係るカメラ防水収容ハウジングシステム１は、既述したように、カメラ用ジャケット２１Ａを他の同種のカメラ用ジャケット、すなわち、図６に示す他のカメラ用ジャケット２１Ｂ、２１Ｃと共通な外周部形状とし、一つの防水ハウジング２内に各々互換性をもって位置決め装着するものである。
【００４３】
また、前記カメラ用ジャケット２１Ａ、２１Ｂ、２１Ｃの各内周部の形状は、近似した形状のカメラＡ、カメラＢ、カメラＣに各々対応する専用設計としている。
【００４４】
ここで、前記カメラＡ、カメラＢ、カメラＣの外形寸法について説明すると、これらは共通の高さＨを有するとともに、カメラＡのカメラ本体４０の幅はＷ、厚さはＤ、カメラＢのカメラ本体４０の幅はＷ、厚さはＤ１で、Ｄ＞Ｄ１の関係となっている。すなわち、カメラＢはカメラＡよりも厚さが薄い外形となっている。
【００４５】
また、カメラＣのカメラ本体４０の幅はＷ１、厚さはＤで、Ｗ＞Ｗ１の関係となっている。すなわち、カメラＣはカメラＡよりも幅が狭い外形となっている。
【００４６】
このような３個のカメラＡ乃至Ｃを、３個のカメラ用ジャケット２１Ａ乃至２１Ｃに各々装着した状態を図６の中欄に示す。
【００４７】
尚、図６の中欄においては、カメラ用ジャケット２１Ａ乃至２１Ｃ内のカメラＡ乃至Ｃの存在領域に斜線を付して示す。
【００４８】
このようにして、本実施例に係るカメラ防水収容ハウジングシステム１によれば、全体として近似した外形を有するものの、幅または厚さの異なる３種のカメラＡ乃至Ｃを、各々内周部を各カメラＡ乃至Ｃ毎に専用設計とし、外周部を共通化した３個のカメラ用ジャケット２１Ａ乃至２１Ｃに入れて互換性をもって図６欄に示す一つの防水ハウジング２内に確実に位置決め装着することができる。
【００４９】
尚、図６に示す例は一例であり、カメラ個数、防水ハウジング個数はこれに限定されるものでないことはもちろんである。
【産業上の利用可能性】
【００５０】
本発明のカメラ用ジャケット、カメラ防水収容ハウジングシステムは、カメラの大型、小型の別、カメラ種類の別（デジタルカメラ、スチールカメラ等）を問わず広範に適用可能であり、また、レンズ鏡筒の有るカメラに限られないことももちろんである。
【図面の簡単な説明】
【００５１】
【図１】本発明の実施例に係るカメラ防水収容ハウジングシステムの分解状態の斜視図である。
【図２】本実施例に係るカメラ用ジャケットの正面側から見た斜視図である。
【図３】本実施例に係るカメラ用ジャケットの平面図である。
【図４】本実施例に係るカメラ用ジャケットの側面図である。
【図５】本実施例に係るカメラ用ジャケットの背面図である。
【図６】本実施例に係るカメラ防水収容ハウジングシステムの３種のカメラに対する適用例を示す説明図である。
【符号の説明】
【００５２】
１    カメラ防水収容ハウジングシステム
２    防水ハウジング
３    ハウジング本体
３ａ  前壁
４    鏡筒用筒部
５    凸部
６    凸部
７    凸部
８    凸部
９    操作釦部
２１Ａ  カメラ用ジャケット
２１Ｂ  カメラ用ジャケット、
２１Ｃ  カメラ用ジャケット
２２    ジャケット本体
２２ａ  鏡筒穴
２３    後面カバー体
２４    円形リブ
２５    凹部
２６    凹部
２７    凹部
２８    凹部
２９    突条
３０    操作釦用穴部
３１    円形リブ
３２    四角穴
３３    四角穴
３４    円形穴
４０    カメラ本体
４１    レンズ鏡筒
Ａ    カメラ
Ｂ    カメラ
Ｃ    カメラ
【図１】
2009048045.tif 000003
【図２】
2009048045.tif 000004
【図３】
2009048045.tif 000005
【図４】
2009048045.tif 000006
【図５】
2009048045.tif 000007
【図６】
2009048045.tif 000008